(57)【特許請求の範囲】
【請求項１】
車両に設置され、ＤＳＲＣ（Dedicated Short Range Communication）車載装置と車載情報端末とを通信可能に中継する情報中継装置であって、
外部と前記ＤＳＲＣ車載装置および前記車載情報端末との通信特性を示す通信特性情報を取得する通信特性情報取得手段と、
ＤＳＲＣ−ＰＰＰ（Point to Point Protocol）通信の利用の可否状態を含む前記車載情報端末の状態を示す車載情報端末状態情報を取得する車載情報端末状態情報取得手段と、
前記ＤＳＲＣ車載装置および前記車載情報端末の前記通信特性情報と、前記車載情報端末の前記車載情報端末状態情報とに基づいて、前記ＤＳＲＣ車載装置を介して前記外部と前記ＤＳＲＣ−ＰＰＰ通信の接続を行い、前記ＤＳＲＣ−ＰＰＰ通信によるデータであるＤＳＲＣ−ＰＰＰ通信データを前記車載情報端末に中継するＤＳＲＣ−ＰＰＰ通信接続・中継手段と、
を備える、情報中継装置。
【請求項２】
前記ＤＳＲＣ−ＰＰＰ通信接続・中継手段は、前記ＤＳＲＣ車載装置が前記外部と前記ＤＳＲＣ通信接続されて前記ＤＳＲＣ−ＰＰＰ通信の利用が可能であり、かつ、前記車載情報端末が前記ＤＳＲＣ−ＰＰＰ通信の利用が可能な状態である場合に、前記ＤＳＲＣ車載装置を介して前記外部と前記ＤＳＲＣ−ＰＰＰ通信の接続を行い、前記ＤＳＲＣ−ＰＰＰ通信によるデータであるＤＳＲＣ−ＰＰＰ通信データを前記車載情報端末に中継することを特徴とする、請求項１に記載の情報中継装置。
【請求項３】
前記ＤＳＲＣ−ＰＰＰ通信接続・中継手段は、前記ＤＳＲＣ車載装置が前記外部と前記ＤＳＲＣ通信接続されて前記ＤＳＲＣ−ＰＰＰ通信の利用が可能である場合に、前記ＤＳＲＣ車載装置を介して前記外部と前記ＤＳＲＣ−ＰＰＰ通信の接続を行い、当該接続の後、前記車載情報端末が前記ＤＳＲＣ−ＰＰＰ通信の利用が可能な状態になると、前記ＤＳＲＣ−ＰＰＰ通信によるデータであるＤＳＲＣ−ＰＰＰ通信データを前記車載情報端末に中継することを特徴とする、請求項１に記載の情報中継装置。
【請求項４】
前記車載情報端末から取得した前記通信特性情報および前記車載情報端末状態情報に基づいて、前記車載情報端末との間でインターネット通信を可能とするか否かの中継通信モードの切り替えを制御する中継通信モード制御手段をさらに備え、
前記中継通信モード制御部は、前記車載情報端末が前記ＤＳＲＣ−ＰＰＰ通信の利用が可能な状態である場合において、前記車載情報端末との間で前記インターネット通信を可能とするように前記中継通信モードを制御することを特徴とする、請求項２または３に記載の情報中継装置。
【請求項５】
前記外部から受信して前記車載情報端末に中継する前記ＤＳＲＣ−ＰＰＰ通信データを蓄積する中継通信データ蓄積手段と、
前記中継通信モードおよび前記車載情報端末状態情報に基づいて、前記中継通信データ蓄積手段に蓄積された前記ＤＳＲＣ−ＰＰＰ通信データを前記車載情報端末に出力するか否かの制御を行う中継データ出力制御手段と、
をさらに備え、
前記中継データ出力制御手段は、前記中継通信モードが前記インターネット通信を可能に切り替わるか、あるいは、前記車載情報端末が前記ＤＳＲＣ−ＰＰＰ通信の利用が可能な状態になった場合において、前記中継通信データ蓄積手段にて蓄積された前記ＤＳＲＣ−ＰＰＰ通信データを前記車載情報端末に出力することを特徴とする、請求項４に記載の情報中継装置。
【請求項６】
前記中継通信データ蓄積手段に蓄積された前記ＤＳＲＣ−ＰＰＰ通信データは、前記ＤＳＲＣ車載装置から前記ＤＳＲＣ通信の切断通知を受信するか、あるいは、前記ＤＳＲＣ−ＰＰＰ通信データを前記中継通信データ蓄積手段に蓄積した時点から所定の時間経過すると無効になることを特徴とする、請求項５に記載の情報中継装置。
【請求項７】
車両に設置され、ＤＳＲＣ（Dedicated Short Range Communication）車載装置および情報中継装置を介して外部とＤＳＲＣ−ＰＰＰ（Point to Point Protocol）通信を含む通信メディアを選択して用いることが可能な車載情報端末であって、
前記ＤＳＲＣ−ＰＰＰ通信の利用の可否状態を含む前記車載情報端末の状態を示す車載情報端末状態情報を前記情報中継装置に出力する車載情報端末状態情報出力手段を備える、車載情報端末。
【請求項８】
前記外部から受信した前記ＤＳＲＣ−ＰＰＰ通信データを蓄積する中継通信データ蓄積手段と、
前記情報中継装置によって切り替え制御される、前記情報中継装置と前記車載情報端末との間でインターネット通信を可能とするか否かの中継通信モードと、前記車載情報端末状態情報とに基づいて、前記中継通信データ蓄積手段に蓄積された前記ＤＳＲＣ−ＰＰＰ通信データを前記車載情報端末にて利用するために出力するか否かの制御を行う中継データ出力制御手段と、
をさらに備え、
前記中継データ出力制御手段は、前記中継通信モードが前記インターネット通信を可能に切り替わるか、あるいは、前記車載情報端末が前記ＤＳＲＣ−ＰＰＰ通信の利用が可能な状態になった場合において、前記中継通信データ蓄積手段にて蓄積された前記ＤＳＲＣ−ＰＰＰ通信データを前記車載情報端末にて利用するために出力することを特徴とする、請求項７に記載の車載情報端末。
【請求項９】
前記外部との前記ＤＳＲＣ−ＰＰＰ通信が可能な場合において、当該ＤＳＲＣ−ＰＰＰ通信を開始することが可能である旨をユーザーに通知するＤＳＲＣ−ＰＰＰ通信開始通知手段と、
前記ＤＳＲＣ−ＰＰＰ通信を開始する際に、前記インターネット通信を可能とするように前記中継通信モードの変更を前記情報中継装置に要求する中継通信モード変更要求手段と、
をさらに備える、請求項８に記載の車載情報端末。
【請求項１０】
前記ＤＳＲＣ−ＰＰＰ通信の切断処理を行うＤＳＲＣ−ＰＰＰ通信切断処理手段をさらに備え、
前記ＤＳＲＣ−ＰＰＰ通信切断処理手段は、前記外部との前記ＤＳＲＣ−ＰＰＰ通信が不可能になった場合において当該ＤＳＲＣ−ＰＰＰ通信の切断処理を行うことを特徴とする、請求項７ないし９のいずれかに記載の車載情報端末。
【請求項１１】
前記ＤＳＲＣ−ＰＰＰ通信切断処理手段は、前記ＤＳＲＣ−ＰＰＰ通信の利用を停止した場合において当該ＤＳＲＣ−ＰＰＰ通信の切断処理を行い、
前記中継通信モード変更要求手段は、前記インターネット通信を不可能とするように前記中継通信モードの変更を前記情報中継装置に要求することを特徴とする、請求項９に記載の車載情報端末。
【請求項１２】
前記ＤＳＲＣ−ＰＰＰ通信の接続処理を行うＤＳＲＣ−ＰＰＰ通信接続処理手段をさらに備え、
前記ＤＳＲＣ−ＰＰＰ通信接続処理手段は、前記ＤＳＲＣ−ＰＰＰ通信の利用を開始した場合において当該ＤＳＲＣ−ＰＰＰ通信の接続処理を行い、
前記中継通信モード変更要求手段は、前記インターネット通信を可能とするように前記中継通信モードの変更を前記情報中継装置に要求することを特徴とする、請求項９または１１に記載の車載情報端末。
【請求項１３】
前記ＤＳＲＣ−ＰＰＰ通信の利用が開始できない場合はその旨を通知する通知手段をさらに備える、請求項１２に記載の車載情報端末。
【発明の詳細な説明】
【技術分野】
【０００１】
本発明は、車両に設置されたＤＳＲＣ車載装置を介して外部とＤＳＲＣ通信を行うことが可能な車載情報端末と、当該車載情報端末とＤＳＲＣ車載装置との間においてＤＳＲＣ通信を中継する情報中継装置とを備える車側システムにおける車載情報端末および情報中継装置に関する。
【背景技術】
【０００２】
近年、車両に設置されたＤＳＲＣ（Ｄｅｄｉｃａｔｅｄ Ｓｈｏｒｔ Ｒａｎｇｅ Ｃｏｍｍｕｎｉｃａｔｉｏｎ）通信装置に接続されたカーナビなどの車載情報端末が、ＤＳＲＣ通信を介したＰＰＰ（Ｐｏｉｎｔ  ｔｏ  Ｐｏｉｎｔ  Ｐｒｏｔｏｃｏｌ）通信を用いてインターネット接続を行う技術がある（例えば、非特許文献１，２参照）。
【０００３】
非特許文献１に記載の技術は、ＤＳＲＣ通信上でインターネットに利用する通信プロトコルであるＩＰ通信（ＵＤＰやＴＣＰなど）とそれ以外の通信（非ＩＰ通信）とを同時利用または一方の通信プロトコルを選択して利用するものであり、路側に設置されたサーバ等からＵＲＩ（Ｕｎｉｆｏｒｍ Ｒｅｓｏｕｒｃｅ Ｉｄｅｎｔｉｆｉｅｒ）などを車載情報端末に通知し、車載情報端末が通知されたＵＲＩが示すＷＥＢサイトへＩＰ通信を介してインターネット接続することを想定している。
【０００４】
また、３Ｇ（３ｒｄ Ｇｅｎｅｒａｔｉｏｎ）や４Ｇ（４ｔｈ  Ｇｅｎｅｒａｔｉｏｎ）通信、または無線ＬＡＮ（ＩＥＥＥ８０２．１１ａ／ｂ／ｇ／ｎなど）の通信メディアをインターネット通信に利用する技術があり、このような通信メディアを複数搭載し、当該複数の通信メディアのうちの１つの通信メディアを選択して利用することによって、インターネット接続を行う無線通信端末（例えば、スマートフォン）などがある（例えば、特許文献１参照）。
【０００５】
特許文献１に記載の技術は、車載情報端末が複数の通信メディアを利用可能であり、車載情報端末で無線通信の電波強度などの通信品質等を考慮して利用する通信メディアを選択する技術である。
【先行技術文献】
【特許文献】
【０００６】
【特許文献１】特開２０１０−２６８０８５号公報
【非特許文献】
【０００７】
【非特許文献１】「狭域通信（ＤＳＲＣ）アプリケーションサブレイヤ  標準規格」、ＡＲＩＢ  ＳＴＤ−Ｔ８８  １．１版、社団法人電波産業会、平成１９年１２月１２日
【非特許文献２】「狭域通信（ＤＳＲＣ）基本アプリケーションインタフェース仕様ガイドライン」、ＩＴＳ  ＦＯＲＵＭ  ＲＣ−００４  １．１版、ＩＴＳ情報通信システム推進会議、平成１９年３月２８日
【発明の概要】
【発明が解決しようとする課題】
【０００８】
しかしながら、非特許文献１では、ＤＳＲＣ通信を通信メディアとしてインターネット通信として利用する運用を想定しているが、特許文献２に記載の車載情報端末は、非特許文献１の運用について認知する手段がないため、非特許文献１に記載の技術を適用してＤＳＲＣ通信をインターネット通信に利用するために選択することができなかった。
【０００９】
また、車載情報端末には複数のアプリケーションが搭載されており、車載情報端末の利用者（ユーザー）が、それらのアプリケーションを選択して利用する場合がある。
【００１０】
また、上述のアプリケーションは、例えばＧｏｏｇｌｅ  Ｍａｐなどのインターネットを介して取得した地図を表示するものや、インターネットのＷＥＢサイトを閲覧するＳａｆａｒｉなどのブラウザのようなものを指すものとする。
【００１１】
これらのアプリケーションは、車載情報端末が提供する通信メディア（無線ＬＡＮ、３Ｇなど）を利用してインターネットに接続することを前提としている。
【００１２】
しかしながら、ユーザーがＤＳＲＣ通信を通信メディアとして利用してインターネット接続を行うアプリケーション（ＤＳＲＣ−ＰＰＰアプリケーション）の実現においては、ＤＳＲＣ−ＰＰＰアプリケーション利用中に限ってインターネット接続に利用する通信メディアとしてＤＳＲＣ通信を選択する手段が必要となるが、そのような手段を提供する製品や技術はなかった。
【００１３】
本発明は、これらの問題を解決するためになされたものであり、車載情報端末がＤＳＲＣ通信を利用してインターネット接続を行なう場合にのみ、ＤＳＲＣ通信をインターネット通信として車載情報端末に中継する情報中継装置と、当該情報中継装置の中継によって外部とＤＳＲＣ通信を行う車載情報端末とを提供することを目的とする。
【課題を解決するための手段】
【００１４】
上記の課題を解決するために、本発明による情報中継装置は、車両に設置され、ＤＳＲＣ車載装置と車載情報端末とを通信可能に中継する情報中継装置であって、外部とＤＳＲＣ車載装置および車載情報端末との通信特性を示す通信特性情報を取得する通信特性情報取得手段と、ＤＳＲＣ−ＰＰＰ通信の利用可否状態を含む車載情報端末の状態を示す車載情報端末状態情報を取得する車載情報端末状態情報取得手段と、ＤＳＲＣ車載装置および車載情報端末の通信特性情報と、車載情報端末の車載情報端末状態情報とに基づいて、ＤＳＲＣ車載装置を介して外部とＤＳＲＣ−ＰＰＰ通信の接続を行い、ＤＳＲＣ−ＰＰＰ通信によるデータであるＤＳＲＣ−ＰＰＰ通信データを車載情報端末に中継するＤＳＲＣ−ＰＰＰ通信接続・中継手段とを備える。
【００１５】
また、本発明による車載情報端末は、車両に設置され、ＤＳＲＣ車載装置および情報中継装置を介して外部とＤＳＲＣ−ＰＰＰ通信を含む通信メディアを選択して用いることが可能な車載情報端末であって、ＤＳＲＣ−ＰＰＰ通信の利用の可否状態を含む車載情報端末の状態を示す車載情報端末状態情報を情報中継装置に出力する車載情報端末状態情報出力手段を備える。
【発明の効果】
【００１６】
本発明によると、外部とＤＳＲＣ車載装置および車載情報端末との通信特性を示す通信特性情報を取得する通信特性情報取得手段と、ＤＳＲＣ−ＰＰＰ通信の利用状態（停止中、利用中、一時停止、または利用不可など）およびＤＳＲＣ−ＰＰＰ通信を実現する機能の搭載有無、および、ＤＳＲＣ−ＰＰＰ通信を実現する機能の動作状態（停止中、利用中、一時停止、または利用不可など）を示す車載情報端末状態情報を取得する車載情報端末状態情報取得手段と、ＤＳＲＣ車載装置および車載情報端末の通信特性情報と、車載情報端末の車載情報端末状態情報とに基づいて、ＤＳＲＣ車載装置を介して外部とＤＳＲＣ−ＰＰＰ通信の接続を行い、ＤＳＲＣ−ＰＰＰ通信によるデータであるＤＳＲＣ−ＰＰＰ通信データを車載情報端末に中継するＤＳＲＣ−ＰＰＰ通信接続・中継手段を備えるため、車載情報端末がＤＳＲＣ通信を利用してインターネット接続を行なう場合にのみ、ＤＳＲＣ通信をインターネット通信として車載情報端末に中継することができる。
【図面の簡単な説明】
【００１７】
【図１】本発明の実施の形態１による路車間通信システムの構成の一例を示す図である。
【図２】本発明の実施の形態１による車側システムの構成の一例を示す図である。
【図３】本発明の実施の形態１による車側システムにおけるＤＳＲＣ−ＰＰＰ通信の接続処理を示すフローチャートである。
【図４】本発明の実施の形態２による車側システムの構成の一例を示す図である。
【図５】本発明の実施の形態３による車側システムの構成の一例を示す図である。
【図６】本発明の実施の形態３による車載情報端末の表示の一例を示す図である。
【図７】本発明の実施の形態３による車側システムにおけるＤＳＲＣ−ＰＰＰ通信の接続処理を示すフローチャートである。
【図８】本発明の実施の形態４による車側システムの構成の一例を示す図である。
【図９】本発明の実施の形態４による車側システムにおけるＤＳＲＣ−ＰＰＰ通信の切断処理を示すフローチャートである。
【図１０】本発明の実施の形態５による車側システムにおけるＤＳＲＣ−ＰＰＰ通信の停止処理を示すフローチャートである。
【図１１】本発明の実施の形態５による車側システムにおけるＤＳＲＣ−ＰＰＰ通信の再開処理を示すフローチャートである。
【発明を実施するための形態】
【００１８】
本発明の実施の形態について、図面に基づいて以下に説明する。
【００１９】
〈実施の形態１〉
図１は、本発明の実施の形態１による路車間通信システムの構成の一例を示す図である。図１に示すように、情報中継装置２は、車両に設置され、ＤＳＲＣ車載装置１と車載情報端末３とを通信可能に中継するように接続されている。
【００２０】
ＤＳＲＣ車載装置１は、ＤＳＲＣ路側装置４とＤＳＲＣ通信を行う（非特許文献１，２参照）。また、ＤＳＲＣ路側サーバ５は、ＤＳＲＣ路側装置４を介してＤＳＲＣ車載装置１に提供するコンテンツ情報を保持している。なお、コンテンツ情報は、ＷＥＢサイト、画像、あるいは音声など様々な形式の情報を含むものとする。
【００２１】
また、ＤＳＲＣ車載装置１とＤＳＲＣ路側装置４との間は、ＩＰ通信することが可能な構成となっており、情報中継装置２は、ＤＳＲＣ車載装置１およびＤＳＲＣ路側装置４を介してＤＳＲＣ路側サーバ５にＰＰＰ通信接続することが可能である。
【００２２】
また、車載情報端末３は、無線ＬＡＮ通信、３Ｇ（３ｒｄ Ｇｅｎｅｒａｔｉｏｎ）や４Ｇ（４ｔｈ  Ｇｅｎｅｒａｔｉｏｎ）通信などの無線通信を用いて車外（外部）の路側サーバ６にアクセス（通信接続）することが可能である。
【００２３】
なお、車載情報端末３は、インターネット接続に利用する通信メディアを１つとし、インターネットに接続可能な通信メディアが複数存在する場合は、車載情報端末３にて定められた所定のルールに従ってインターネット通信に利用する通信メディアを１つ選択するものとする。
【００２４】
また、図１に示す路車間通信システムは、車側システムと路側システムとから構成され、車側システムは、ＤＳＲＣ車載装置１、情報中継装置２、および車載情報端末３を備え、路側システムは、ＤＳＲＣ路側装置４、ＤＳＲＣ路側サーバ５、路側サーバ６を備えるものとし、当該路車間通信システムの構成は、以下の各実施の形態に共通するものである。
【００２５】
また、ＤＳＲＣ車載装置１および車載情報端末３の各々は、ＤＳＲＣ路側サーバ５あるいは路側サーバ６の各々に対して通信する路車間通信端末としての機能を有するものとする。
【００２６】
また、以下の説明において、情報中継装置２とＤＳＲＣ車載装置１との間における通信、および、情報中継装置２と車載情報端末３との間における通信など車内での通信を第１通信とも称する。また、ＤＳＲＣ車載装置１とＤＳＲＣ路側装置４との間におけるＤＳＲＣ通信、および、車載情報端末３と路側サーバ６との間における無線通信（例えば、３Ｇ、無線ＬＡＮなど）などの路車間通信を第２通信とも称する。
【００２７】
図２は、本発明の実施の形態１による車側システムの構成の一例を示す図である。図２に示すように、本実施の形態１による車側システムは、ＤＳＲＣ車載装置１と、車載情報端末３と、ＤＳＲＣ車載装置１と車載情報端末３との間において通信を中継して接続することが可能な情報中継装置２とを備えている。
【００２８】
ＤＳＲＣ車載装置１は、情報中継装置２との間における通信（第１通信）の制御を行う通信制御部１０１と、ＤＳＲＣ路側装置４との間において行われる通信（第２通信）の通信メディア（例えば、ＤＳＲＣ、無線ＬＡＮなど）、通信種別（非ＩＰ、ＩＰ）、通信接続状態（切断、接続）を含む第２通信特性情報を情報中継装置２に出力する第２通信特性情報出力部１０２と、ＤＳＲＣ路側装置４との間におけるＤＳＲＣ通信の処理を行うＤＳＲＣ通信処理部１０３とを備える。
【００２９】
また、情報中継装置２は、通信可能に接続されたＤＳＲＣ車載装置１と車載情報端末３との間における通信の中継制御を行う中継通信制御部２０１と、ＤＳＲＣ路側装置４（外部）から受信して車載情報端末３に中継する通信データであるＤＳＲＣ−ＰＰＰ通信データを蓄積する中継通信データ蓄積部２０２（中継通信データ蓄積手段）と、ＤＳＲＣ路側装置４および路側サーバ６（外部）とＤＳＲＣ車載装置１および車載情報端末３との通信特性を示す第２通信特性情報（通信特性情報）をＤＳＲＣ車載装置１あるいは車載情報端末３からを取得する第２通信特性情報取得部２０３（通信特性情報取得手段）と、取得した第２通信特性情報を蓄積する第２通信特性情報蓄積部２０４と、車載情報端末３のＤＳＲＣ−ＰＰＰアプリケーションの搭載有無（例えば、車載情報端末３にＤＳＲＣ−ＰＰＰ通信を利用するアプリケーションがインストールされているか、いないか）およびＤＳＲＣ−ＰＰＰ通信アプリケーションの利用状態（停止中、利用中、一時停止、または利用不可など）やＤＳＲＣ−ＰＰＰ通信の利用の可否（例えば、車載情報端末３がＤＳＲＣ−ＰＰＰ通信を実現する通信機能の搭載有無（例えば、後述のＤＳＲＣ−ＰＰＰ通信処理部３０４を車載情報端末３が持つか否か）、および、ＤＳＲＣ−ＰＰＰ通信を実現する通信機能の動作状態（例えば、ＤＳＲＣ−ＰＰＰ通信処理部３０４がＤＳＲＣ−ＰＰＰ通信処理を利用していない、利用している、利用を一時中断している、または、利用不可など）を示す車載情報端末状態情報を取得する車載情報端末状態情報取得部２０５（車載情報端末状態情報取得手段）と、取得した車載情報端末状態情報を蓄積する車載情報端末状態情報蓄積部２０６と、車載情報端末３から取得した第２通信特性情報および車載情報端末状態情報に基づいて、車載情報端末３との間でインターネット通信を可能とするか否かの中継通信モードの切り替え（ＩＰ通信不可／可能、非ＩＰ／ＩＰ通信）を制御する中継通信モード制御部２０７（中継通信モード制御手段）と、ＤＳＲＣ車載装置１および車載情報端末３の第２通信特性情報と、車載情報端末３の車載情報端末状態情報とに基づいて、ＤＳＲＣ車載装置１を介してＤＳＲＣ路側サーバ５（外部）とＤＳＲＣ−ＰＰＰ通信の接続を行い、ＤＳＲＣ−ＰＰＰ通信によるデータであるＤＳＲＣ−ＰＰＰ通信データを車載情報端末３に中継するＤＳＲＣ−ＰＰＰ通信接続・中継処理部２０９（ＤＳＲＣ−ＰＰＰ通信接続・中継手段）とを備える。
【００３０】
また、車載情報端末３は、ＤＳＲＣ車載装置１および情報中継装置２を介してＤＳＲＣ路側サーバ５とＤＳＲＣ−ＰＰＰ通信を含む通信メディアを選択して用いることが可能であり、情報中継装置２との間における通信（第１通信）の制御を行う通信制御部３０１と、路側サーバ６との間において行われる通信（第２通信）の第２通信特性情報を情報中継装置２に出力する第２通信特性情報出力部３０２と、ＤＳＲＣ−ＰＰＰ通信の利用の可否状態を含む車載情報端末３の状態を示す車載情報端末状態情報を情報中継装置２に出力する車載情報端末状態情報出力部３０３（車載情報端末状態情報出力手段）と、ＤＳＲＣ−ＰＰＰ通信の処理を行うＤＳＲＣ−ＰＰＰ通信処理部３０４と、無線ＬＡＮやＢｕｅｔｏｏｔｈ（登録商標）などの狭域無線通信の処理を行う狭域無線通信処理部３０５と、３Ｇや４Ｇ通信などの広域無線通信の処理を行う広域無線通信処理部３０６と、通信メディアの接続状態に応じてインターネット通信に利用する通信メディアを選択する通信メディア選択部３０７と、ＷＥＢブラウザなどのインターネット通信を経て取得したコンテンツを再生する処理を行うインターネット通信処理部３０８（インターネット閲覧するＨＴＴＰ通信などを実現する機能）と、ＤＳＲＣ−ＰＰＰ通信を利用するＤＳＲＣ−ＰＰＰアプリケーション３０９と、その他のアプリケーション３１０とを備える。
【００３１】
なお、路側システムとして備えられているＤＳＲＣ路側サーバ５は、ＤＳＲＣ通信を介してＰＰＰ通信接続を行うサーバとして機能しており、ＤＳＲＣ路側サーバ５にＰＰＰ通信接続した装置（例えば、情報中継装置２）はインターネット通信が可能になるものとする。
【００３２】
次に、ＤＳＲＣ車載装置１、情報中継装置２、および車載情報端末３を用いてインターネット通信を利用する場合の動作について説明する。なお、以下では、ＤＳＲＣ通信を介したインターネット通信（ＰＰＰ通信）のことをＤＳＲＣ−ＰＰＰ通信とも称する。
【００３３】
図３は、本実施の形態１による車側システムにおけるＤＳＲＣ−ＰＰＰ通信の接続処理を示すフローチャートである。
【００３４】
図３に示すＤＳＲＣ−ＰＰＰ通信の接続処理の前提として、車載情報端末３において、第２通信特性情報出力部３０２は、現在インターネット通信に利用している無線通信メディア（例えば、無線ＬＡＮや３Ｇなど）を第２通信特性情報として情報中継装置２に出力する。また、車載情報端末状態情報出力部３０３は、車載情報端末３がＤＳＲＣ−ＰＰＰ通信に利用状態（ＤＳＲＣ−ＰＰＰアプリケーションの搭載有無、および、ＤＳＲＣ−ＰＰＰアプリケーションが利用可能な状態になっているか否か）、および、ＤＳＲＣ−ＰＰＰ通信の処理を行うＤＳＲＣ−ＰＰＰ通信処理部３０４の動作状態（利用していない、利用中、一時停止、または、利用不可など）を車載情報端末状態情報として情報中継装置２に通知（出力）する。情報中継装置２では、車載情報端末３から出力された第２通信特性情報を第２通信特性情報取得部２０３にて取得し、車載情報端末状態情報を車載情報端末状態情報取得部２０５にて取得する。
【００３５】
なお、車載情報端末状態情報出力部３０３は、車載情報端末３上のＤＳＲＣ−ＰＰＰアプリケーション３０９の利用状態とＤＳＲＣ−ＰＰＰ通信処理部３０４の動作状態を取得することができるものとし、ＤＳＲＣ−ＰＰＰアプリケーション３０９はその利用状態を、ＤＳＲＣ−ＰＰＰ通信処理部３０４はその動作状態を出力する機能を有するものとする。ＤＳＲＣ−ＰＰＰアプリケーション３０９またはＤＳＲＣ−ＰＰＰ通信処理部３０４が車載情報端末３に搭載されていない場合（ＤＳＲＣ−ＰＰＰアプリケーション３０９またはＤＳＲＣ−ＰＰＰ通信処理部３０４から利用状態もしくは動作状態を取得できない場合）は、車載情報端末状態情報出力部３０３がＤＳＲＣ−ＰＰＰアプリケーション３０９またはＤＳＲＣ−ＰＰＰ通信処理部３０４が「利用不可」と扱ってよいものとする。
【００３６】
上述の車載情報端末状態情報出力部３０３における車載情報端末３上のＤＳＲＣ−ＰＰＰアプリケーション３０９の利用状態とＤＳＲＣ−ＰＰＰ通信処理部３０４の動作状態の取得方法としては、例えば、車載情報端末３のＯＳ（Ｏｐｅｒａｔｉｏｎ  Ｓｙｓｔｅｍ）やＳＤＫ（Ｓｏｆｔｗａｒｅ  Ｄｅｖｅｌｏｐｍｅｎｔ  Ｋｉｔ）が備えているＡＰＩ（Ａｐｐｌｉｃａｔｉｏｎ  Ｐｒｏｇｒａｍ  Ｉｎｔｅｒｆａｃｅ）を利用して取得する方法などがある。
【００３７】
また、ＤＳＲＣ−ＰＰＰアプリケーション３０９とＤＳＲＣ−ＰＰＰ通信処理部３０４がインターフェースを備えることで、上述のＤＳＲＣ−ＰＰＰアプリケーション３０９の利用状態とＤＳＲＣ−ＰＰＰ通信処理部３０４の動作状態を車載情報端末状態情報出力部３０３に通知してもよいものとする。
【００３８】
なお、車載情報端末３から情報中継装置２に対して第２通信特性情報および車載情報端末状態情報を出力するタイミングは、車載情報端末３の第２通信特性情報の内容が変化した時点（例えば、インターネット通信に利用していた通信メディアが切り替わった時点、または、ＤＳＲＣ−ＰＰＰ通信の利用状態の変化（例えば、ＤＳＲＣ−ＰＰＰアプリケーション３０９が利用中から停止中に変化）した時点）において、車載情報端末３から情報中継装置２に出力することが望ましいが、情報中継装置２が車載情報端末３に対して任意のタイミングで第２通信特性情報および車載情報端末状態情報を問い合わせるようにしてもよい。
【００３９】
図３に示すように、ＤＳＲＣ車載装置１は、ＤＳＲＣ路側装置４との間でＤＳＲＣ通信接続を完了させる（ステップＳ３０１）。
【００４０】
ステップＳ３０１の後、ＤＳＲＣ車載装置１の第２通信特性情報出力部１０２は、ＤＳＲＣ路側装置４との間でＤＳＲＣ通信の通信の切断または接続を示す情報と、ＤＳＲＣ路側装置４がＤＳＲＣ−ＰＰＰ通信を利用できるか否かを示す情報を、第２通信特性情報として情報中継装置２に出力する（ステップＳ３０２）。
【００４１】
また、ＤＳＲＣ通信接続処理は、例えば、上述の非特許文献に記載の処理に従って、ＤＳＲＣ車載装置１とＤＳＲＣ路側装置４間で行われるものとする。
【００４２】
当該ＤＳＲＣ通信接続において、ＤＳＲＣ−ＰＰＰ通信が利用できるか否かをＤＳＲＣ車載装置１で行う方法としては、例えば、ＤＳＲＣ車載装置１がＤＳＲＣ通信接続時にＤＳＲＣ路側装置４から通知される上述の非特許文献１のＡＳＬ基地局プロファイル（ＲｏａｄＳｉｄｅＰｒｏｆｉｌｅ）のＡＳＬ−ＮＣＰ情報（ａｃｃｅｓｓＣｏｎｔｒｏｌ）にｐｐｐＣｏｎｔｒｏｌが格納されているか否かを判定して、格納されている場合は情報中継装置２にＤＳＲＣ−ＰＰＰ通信利用可を示す情報を、格納されていない場合はＤＳＲＣ−ＰＰＰ通信利用不可を示す情報を情報中継装置２に出力する。
【００４３】
上述のＤＳＲＣ通信の切断または接続を示す情報やＤＳＲＣ路側装置４がＤＳＲＣ−ＰＰＰ通信を利用できるか否かを示す情報は、それぞれ内容を情報中継装置２に通知することができれば電文の構造や出力方法は問わないものとする。
【００４４】
ＤＳＲＣ−ＰＰＰ通信利用可を示す情報を情報中継装置２に通知しない場合は「ＤＳＲＣ−ＰＰＰ通信利用不可」と予め所定のルールを決めてもよいものとし、その場合はＤＳＲＣ車載装置１の第２通信特性情報出力部１０２はＤＳＲＣ−ＰＰＰ通信利用不可を示す情報を出力しなくてもよいものとする。
【００４５】
ステップＳ３０２の後、情報中継装置２は、第２通信特性情報取得部２０３にてＤＳＲＣ車載装置１から取得した第２通信特性情報の内容、および車載情報端末３の第２通信特性情報の内容と、車載情報端末状態情報取得部２０５にて取得した車載情報端末３の車載通信端末状態情報の内容とを確認し、「ＤＳＲＣ接続完了」かつ「ＤＳＲＣ路側装置４がＤＳＲＣ−ＰＰＰ通信利用可」で、かつ、「車載情報端末３がＤＳＲＣ−ＰＰＰ通信利用可」であるか否かを判定する（ステップＳ３０３）。
【００４６】
ステップＳ３０３において、「ＤＳＲＣ接続完了」かつ「ＤＳＲＣ路側装置４がＤＳＲＣ−ＰＰＰ通信利用可」で、かつ、「車載情報端末３がＤＳＲＣ−ＰＰＰ通信利用可」であると判定された場合は、情報中継装置２のＤＳＲＣ−ＰＰＰ通信接続・中継処理部２０９は、ＤＳＲＣ路側サーバ５との間でＤＳＲＣ−ＰＰＰ通信を開始する（ステップＳ３０４）。
【００４７】
一方、ステップＳ３０３において、「ＤＳＲＣ接続完了」かつ「ＤＳＲＣ路側装置４がＤＳＲＣ−ＰＰＰ通信利用可」であり、かつ、「車載情報端末３がＤＳＲＣ−ＰＰＰ通信利用可」でないと判定された場合は、情報中継装置２はＤＳＲＣ路側サーバ５との間でＤＳＲＣ−ＰＰＰ通信を開始せず、ＤＳＲＣ−ＰＰＰ通信の接続処理を終了する（ステップＳ３０５）。
【００４８】
ここで、「ＤＳＲＣ接続完了」かつ「ＤＳＲＣ路側装置４がＤＳＲＣ−ＰＰＰ通信利用可」である場合とは、例えば、上述の非特許文献に記載の処理に従ってＤＳＲＣ車載装置１とＤＳＲＣ路側装置４との間におけるＤＳＲＣ通信接続処理が完了し、当該ＤＳＲＣ通信接続時に、ＤＳＲＣ路側装置４が対応しているＮＣＰ（Ｎｅｔｗｏｒｋ  Ｃｏｎｔｒｏｌ  Ｐｒｏｔｏｃｏｌ）としてＰＰＰＣＰ（Ｐｏｉｎｔ ｔｏ Ｐｏｉｎｔ Ｐｒｏｔｏｃｏｌ Ｃｏｎｔｒｏｌ Ｐｒｏｔｏｃｏｌ）をＤＳＲＣ車載装置１に通知している状態のことである。
【００４９】
また、ステップＳ３０３において、「車載情報端末３がＤＳＲＣ−ＰＰＰ通信利用可」である場合とは、車載情報端末３がＤＳＲＣ−ＰＰＰアプリケーション３０９を起動しており、かつ、利用可能な状態（例えば、車載情報端末３にてＤＳＲＣ−ＰＰＰ通信処理部３０４が利用可能な状態、または、利用している状態）をいう。
【００５０】
ステップＳ３０４の後、情報中継装置２のＤＳＲＣ−ＰＰＰ通信接続・中継処理部２０９にてＤＳＲＣ−ＰＰＰ通信接続が完了する（ステップＳ３０６）。
【００５１】
ステップＳ３０６の後、車載情報端末３にてインターネット通信に利用している通信メディアがＤＳＲＣ−ＰＰＰ通信ではない場合、情報中継装置２の中継通信モード制御部２０７は、車載情報端末３との間においてインターネット通信可能とする通信環境を構築する（ステップＳ３０７）。すなわち、中継通信モード制御部２０７は、車載情報端末３がＤＳＲＣ−ＰＰＰ通信の利用が可能な状態である場合において、図２に示す情報中継装置２と車載情報端末３との間における通信を、「非ＩＰ通信」から「ＩＰ通信」となるように通信環境を構築する（中継通信モードを変更するよう制御する）。情報中継装置２と車載情報端末３との間においてインターネット通信可能とする通信環境が構築されると、車載情報端末３の通信メディア選択部３０７は、ＤＳＲＣ−ＰＰＰ通信をインターネット通信路として選択する。
【００５２】
ここで、上記の「通信環境の構築」とは、車載情報端末３と情報中継装置２との間における通信がインターネット通信に優先利用されるようにＩＰアドレスを割り当てる。例えば、車載情報端末３がＤＳＲＣ通信によるインターネットを利用しない場合は、車載情報端末３と情報中継装置２との間でルーティングが不可能なＩＰアドレス（例えば、クラスＢのアドレス）を割り当てる、または、インターネット接続に必要なゲートウェイのアドレスを車載情報端末３に通知または設定しないようにする。インターネットを利用する場合は、ルーティングが可能なクラスＣのＩＰアドレスを割り当てる。なお、上記の割り当て方法については、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）などを利用しても良いが、無線ＬＡＮなどを利用する場合は、予め車載情報端末３にクラスＢとクラスＣの利用が登録されたＳＳＩＤ（Ｓｅｒｖｉｃｅ  Ｓｅｔ  Ｉｄｅｎｔｉｆｉｅｒ）を登録しておき、情報中継装置２でＳＳＩＤを切り替えて行っても良い。
【００５３】
以上のことから、本実施の形態１による情報中継装置２は、ＤＳＲＣ車載装置１から、ＤＳＲＣ通信の接続／未接続の情報、および当該ＤＳＲＣ通信を介してＤＳＲＣ−ＰＰＰ通信の利用が可能か否かの情報を含む第２通信特性情報と、車載情報端末３から、現在インターネット通信に利用している無線通信メディアの情報を含む第２通信特性情報とを第２通信特性情報取得部２０３にて取得し、また、車載情報端末３がＤＳＲＣ−ＰＰＰ通信を利用可能か否かの情報を含む車載通信端末状態情報を車載情報端末状態情報取得部２０５にて取得し、これらの情報に基づいて、ＤＳＲＣ車載装置１がＤＳＲＣ路側装置４とＤＳＲＣ−ＰＰＰ通信可能な状態であり、かつ、車載情報端末３がＤＳＲＣ−ＰＰＰアプリケーション３０９を起動している、または、起動した場合のみにおいて、ＤＳＲＣ−ＰＰＰ通信データを車載情報端末３に中継しているため、車載情報端末３はＤＳＲＣ−ＰＰＰ通信をインターネット通信路として利用することができる。
【００５４】
従って、車載情報端末３がＤＳＲＣ−ＰＰＰアプリケーション３０９を起動していない、または、ＤＳＲＣ−ＰＰＰアプリケーション３０９を搭載していない場合は、車載情報端末３のインターネット通信路をＤＳＲＣ−ＰＰＰ通信に変更することがないため、ＤＳＲＣ−ＰＰＰ通信以外の通信メディアをインターネット通信に利用するその他のアプリケーション３１０の動作を阻害することはない。
【００５５】
すなわち、複数のアプリケーションが１つの端末にインストールされ、ユーザーがアプリケーションを選択して１度に１つのアプリケーションをユーザーが直接利用する形態の車載情報端末３（例えば、スマートフォンなど）においては、ＤＳＲＣ−ＰＰＰアプリケーション３０９を起動した場合のみ情報中継装置２と車載情報端末３との間における通信メディアがインターネット通信に利用できるようになるため、ＤＳＲＣ−ＰＰＰ通信以外の３ＧやＷｉＭａｘ通信などの利用を前提としたＷＥＢブラウザなどのその他のアプリケーション３１０を立ち上げた際に、ＤＳＲＣ−ＰＰＰ通信がインターネット通信に利用されることがないという効果を奏する。
【００５６】
一方で、本実施の形態１のように車載情報端末３に対するＤＳＲＣ−ＰＰＰ通信接続を行なわない場合は、例えば、車両内に持ち込んだ車載情報端末が上述のＤＳＲＣ−ＰＰＰ通信機能を利用していなくても、情報中継装置は車載情報端末３に対してＤＳＲＣ−ＰＰＰ通信を利用可能な状態としてしまうため、車載情報端末３は、３Ｇや無線ＬＡＮなど本来利用したいＷＥＢブラウザなど、その他の機能におけるインターネット通信が利用できなくなる。
【００５７】
なお、図３のステップＳ３０４において、情報中継装置２は、車載情報端末３にてＤＳＲＣ−ＰＰＰ通信が利用できる場合に限って、ＤＳＲＣ路側サーバ５に対してＤＳＲＣ−ＰＰＰ通信接続処理を開始する。
【００５８】
上記の路車間通信システムの運用の一例として、ＤＳＲＣ路側サーバ５は、ＤＳＲＣ−ＰＰＰ通信の接続が完了したＤＳＲＣ車載装置１をＤＳＲＣ−ＰＰＰ通信を介したインターネット接続が可能であると判定し、ＤＳＲＣ路側サーバ５から当該ＤＳＲＣ路側サーバ５の特定のＷＥＢサイトにアクセスするためのＵＲＩをＤＳＲＣ車載装置１に対して配信する場合がある。
【００５９】
本実施の形態１によれば、このＵＲＩがＤＳＲＣ車載装置１で受信され、情報中継装置２を経由して車載情報端末３に通知された時点において、当該車載情報端末３ではＤＳＲＣ−ＰＰＰ通信を利用するアプリケーション（たとえば専用のブラウザ）が起動しているため、車載情報端末３は通知されたＵＲＩの示すＷＥＢサイトに即座にアクセスすることを可能とする効果を奏する。
【００６０】
〈実施の形態２〉
実施の形態１では、ＤＳＲＣ車載装置１が「ＤＳＲＣ接続完了」して「ＤＳＲＣ−ＰＰＰ通信が利用可」であり、かつ、車載情報端末３が「ＤＳＲＣ−ＰＰＰ通信が利用可」である場合に、情報中継装置２のＤＳＲＣ−ＰＰＰ通信接続・中継処理部２０９は、ＤＳＲＣ路側サーバ５との間でＤＳＲＣ−ＰＰＰ通信を開始している（図３のステップＳ２０８参照）。
【００６１】
一方、本実施の形態２では、ＤＳＲＣ車載装置１が「ＤＳＲＣ接続完了」して「ＤＳＲＣ−ＰＰＰ通信が利用可」である場合に、情報中継装置２のＤＳＲＣ−ＰＰＰ通信接続・中継処理部２０９は、ＤＳＲＣ路側サーバ５との間でＤＳＲＣ−ＰＰＰ通信を開始することを特徴としている。この場合、情報中継装置２は、ＤＳＲＣ路側サーバ５との間でＤＳＲＣ−ＰＰＰ通信接続が完了した後に、車載情報端末３が「ＤＳＲＣ−ＰＰＰ通信が利用可」となった時点で、図３のステップＳ３０７と同様の処理を行い、車載情報端末３がＤＳＲＣ−ＰＰＰ通信を介したインターネット通信を利用することを可能とする。
【００６２】
上記より、例えば、車載情報端末３がＤＳＲＣ−ＰＰＰアプリケーション３０９を起動した場合において、ＤＳＲＣ路側サーバ５と情報中継装置２との間にて行われるＤＳＲＣ−ＰＰＰ通信接続に要するＤＳＲＣ−ＰＰＰ接続時間Ｔ１とし、情報中継装置２にて車載情報端末３がＤＳＲＣ−ＰＰＰ通信を介したインターネット通信の利用が可能な通信環境を構築するために要する通信環境構築時間Ｔ２とすると、実施の形態１では車載情報端末３がＤＳＲＣ−ＰＰＰアプリケーション３０９を起動した直後からＤＳＲＣ−ＰＰＰ通信が利用可能になるまでの時間はＴ１＋Ｔ２時間必要となるが、本実施の形態２ではＴ２時間必要となるだけであるため、車載情報端末３を利用するユーザーに対して、実施の形態１よりも短時間でＤＳＲＣ−ＰＰＰ通信を利用することが可能な通信環境を提供することができる。
【００６３】
すなわち、本実施の形態２では、例えば、ユーザーが車載情報端末３にてＤＳＲＣ−ＰＰＰアプリケーション３０９を立ち上げた（起動した）際に「通信接続中ですので、しばらくお待ち下さい・・・」といった所定のメッセージがＤＳＲＣ−ＰＰＰ通信が利用可能な状態になるまで表示される場合において、当該所定のメッセージの表示時間を実施の形態１よりも短くすることができるという効果を奏する。
【００６４】
上述の通り、実施の形態１において、ＤＳＲＣ路側サーバ５は、情報中継装置２との間にてＤＳＲＣ−ＰＰＰ通信接続が完了した後に、当該ＤＳＲＣ路側サーバ５の特定のＷＥＢサイトにアクセスするためのＵＲＩをＤＳＲＣ車載装置１に対して配信し、当該ＵＲＩを情報中継装置２を経由して車載情報端末３に通知することにより、車載情報端末３から当該ＵＲＩで示されたＷＥＢサイトにアクセスしていた。
【００６５】
しかし、本実施の形態２では、車載情報端末３が上記ＷＥＢサイト（ＤＳＲＣ路側サーバ５の特定のＷＥＢサイト）にアクセスする準備が整っていない（例えば、専用ブラウザやアプリケーションが起動していない）場合、または、上記ＷＥＢサイトにアクセスする機能を持たない場合であっても、情報中継装置２からＤＳＲＣ路側サーバ５に対してＤＳＲＣ−ＰＰＰ通信接続を行う。その結果、車載情報端末３が上記ＷＥＢサイトにアクセスできない場合であっても、ＤＳＲＣ路側サーバ５は上記ＷＥＢサイトのＵＲＩをＤＳＲＣ車載装置１に対して配信するため、情報中継装置２がＤＳＲＣ車載装置１にて受信したＵＲＩを車載情報端末３に転送（中継）しても、車載情報端末３はＵＲＩで示されたＷＥＢサイトにアクセスできない場合が生じるという問題がある。
【００６６】
上記の問題を解決するために本実施の形態２では、図４に示すように、情報中継装置２は、中継通信モード制御部２０７にて選択された中継通信モードと、車載情報端末３から取得した車載情報端末状態情報と基づいて、中継通信データ蓄積部２０２に蓄積されたＤＳＲＣ−ＰＰＰ通信データを抽出して車載情報端末３に出力するか否かの制御を行う中継データ出力制御部２０８（中継データ出力制御手段）を備えることを特徴としている。その他の構成は実施の形態１と同様であるため、ここでは説明を省略する。
【００６７】
ここで、「中継通信モード」とは、情報中継装置２と車載情報端末３との間における通信が、「インターネット通信可能か、または不可か」のいずれであるかを示したものであり、中継通信モードの切り替えは中継通信モード制御部２０７にて行われるものとする。なお、中継通信モード制御部２０７における具体的な中継通信モードの切り替え方法は、実施の形態１と同様であるものとする。
【００６８】
次に、本実施の形態による情報中継装置２の具体的な処理について説明する。
【００６９】
情報中継装置２のＤＳＲＣ−ＰＰＰ通信接続・中継処理部２０９は、ＤＳＲＣ車載装置１が「ＤＳＲＣ接続完了」して「ＤＳＲＣ−ＰＰＰ通信が利用可」である場合において、ＤＳＲＣ路側サーバ５との間でＤＳＲＣ−ＰＰＰ通信接続処理を行う。情報中継装置２とＤＳＲＣ路側サーバ５との間でＤＳＲＣ−ＰＰＰ通信接続が完了すると、ＤＳＲＣ路側サーバ５から情報中継装置２に対して、ＤＳＲＣ路側サーバ５の特定のＷＥＢサイトのＵＲＩが通知される。このとき、中継通信モードがインターネット通信不可であるか、または、車載情報端末３にてＤＳＲＣ−ＰＰＰ通信が利用できない状態である場合には、ＤＳＲＣ路側サーバ５から通知されたＵＲＩは、中継データ出力制御部２０８によって中継通信データ蓄積部２０２に一時記憶され、当該ＵＲＩが車載情報端末３に出力しないようにする。
【００７０】
その後、中継データ出力制御部２０８は、中継通信モードがインターネット通信可能に切り替わるか、または、車載情報端末３にてＤＳＲＣ−ＰＰＰ通信が利用できる状態となった場合において、中継通信データ蓄積部２０２に蓄積したＵＲＩ（ＤＳＲＣ−ＰＰＰ通信データ）を検索し、記憶されているＵＲＩがあれば当該ＵＲＩを車載情報端末３に出力する。
【００７１】
なお、中継通信データ蓄積部２０２に一時記憶されたＵＲＩは、情報中継装置２の第２通信特性情報取得部２０３がＤＳＲＣ車載装置１からＤＳＲＣ通信切断通知を受信する（受信したＵＲＩは当該ＤＳＲＣ通信が接続中のみ有効）か、または、ＵＲＩを中継通信データ蓄積部２０２に記憶した時点から所定の時間経過時まで有効とする。すなわち、中継通信データ蓄積部２０２に蓄積されたＤＳＲＣ−ＰＰＰ通信データ（例えば、上記のＵＲＩ）は、ＤＳＲＣ車載装置１からＤＳＲＣ通信の切断通知を受信するか、または、ＤＳＲＣ−ＰＰＰ通信データを中継通信データ蓄積部２０２に蓄積した時点から所定の時間経過すると無効になる。無効になったＤＳＲＣ−ＰＰＰ通信データは、中継通信データ蓄積部２０２から消去してもよい。
【００７２】
以上のことから、車載情報端末３がＤＳＲＣ−ＰＰＰ通信を利用することができない場合において、ＤＳＲＣ路側サーバ５がＤＳＲＣ−ＰＰＰ通信を介して所定のＵＲＩにアクセスすることを要求してきた場合であっても、情報中継装置２は、車載情報端末３がＤＳＲＣ−ＰＰＰ通信を介したインターネット通信が利用可能になった時点で、当該ＵＲＩを車載情報端末３に通知することができる。
【００７３】
なお、上記では、中継通信データ蓄積部２０２および中継データ出力制御部２０８を情報中継装置２に備えているものとして説明したが、中継通信データ蓄積部２０２および中継データ出力制御部２０８を車載情報端末３に備えて上記と同様な処理を行うようにしても上記と同様の効果を奏する。その際において、中継通信データ蓄積部２０２に一時記憶されたＵＲＩの有効期限は上記と同様の扱いとし、ＤＳＲＣ車載装置１から情報中継装置２に通知される情報（ＤＳＲＣ通信の切断の情報など）は、情報中継装置２の中継通信制御部２０１を介して、車載情報端末３の通信制御部３０１に同じ情報として通知されるものとする。
【００７４】
〈実施の形態３〉
実施の形態１，２では、車載情報端末３にてユーザーが任意のタイミングでＤＳＲＣ−ＰＰＰアプリケーション３０９を起動したときに、ＤＳＲＣ路側サーバ５から配信されたＵＲＩで示されたＷＥＢサイトに接続する場合について説明したが、そのような場合において、ユーザーは車載情報端末３がＤＳＲＣ−ＰＰＰ通信を利用することが可能な環境に存在するか否かを確認する必要があった。
【００７５】
本実施の形態３では、車載情報端末３がＤＳＲＣ−ＰＰＰ通信を利用することが可能な環境に存在する場合において、ユーザーに対してその旨（ＤＳＲＣ−ＰＰＰ通信を利用することが可能であること）を通知する方法について説明する。
【００７６】
図５は、本実施の形態３による車側システムの構成の一例を示す図である。図５に示すように、本実施の形態３による車載情報端末３は、情報中継装置２からＵＲＩを通知された場合（ＤＳＲＣ路側サーバ５とのＤＳＲＣ−ＰＰＰ通信が可能な場合）、ＤＳＲＣ−ＰＰＰアプリケーション３０９が車載情報端末３に搭載され、かつ当該機能が起動していない場合にはＤＳＲＣ−ＰＰＰ通信機能開始（ＤＳＲＣ−ＰＰＰ通信を開始することが可能である旨）をユーザーに通知するＤＳＲＣ−ＰＰＰ通信開始通知部３１１（ＤＳＲＣ−ＰＰＰ通信開始通知手段）と、ＤＳＲＣ−ＰＰＰ通信を開始する際に、車載情報端末３が情報中継装置２の中継通信モード制御部２０７に対して、ＤＳＲＣ−ＰＰＰ通信をインターネット通信として利用可能とするような通信環境の構築（中継通信モードの変更）を要求する中継通信モード変更要求部３１２（中継通信モード変更要求手段）とを備えることを特徴としている。その他の構成は、実施の形態１，２と同様であるため、ここでは説明を省略する。
【００７７】
図６は、本実施の形態３による車載情報端末３の表示の一例を示す図である。図６に示すように、車載情報端末３は表示画面３５０を備え、表示画面３５０には車載情報端末３が利用可能なアプリケーション一覧３５１が表示されている。情報中継装置２からＵＲＩが通知された場合において、ＤＳＲＣ−ＰＰＰ通信開始通知部３１１は、ＤＳＲＣ−ＰＰＰ通信開始するアプリケーションが当該車載情報端末３に搭載され、かつ、当該機能が起動していない場合に、ＤＳＲＣ−ＰＰＰ通信機能開始通知３５２を表示画面３５０に表示する。
【００７８】
ＤＳＲＣ−ＰＰＰ通信機能開始通知３５２では、起動するアプリケーションの名称と、起動時にＤＳＲＣ−ＰＰＰ通信をインターネット通信に利用する際に生じる制限事項とが表示され、当該機能の起動についてユーザーに確認を行うものとする。
【００７９】
図７は、本実施の形態３による車側システムにおけるＤＳＲＣ−ＰＰＰ通信の接続処理を示すフローチャートである。以下、図７に基づき、車載情報端末３のユーザーが、ＤＳＲＣ−ＰＰＰ通信開始通知部３１１から通知された情報を元にＤＳＲＣ−ＰＰＰ通信を利用するまでの手順について説明する。
【００８０】
なお、本実施の形態３では、実施の形態１，２にかかわらず、情報中継装置２から車載情報端末３に対してＤＳＲＣ−ＰＰＰ通信を介してアクセスするＷＥＢサイトのＵＲＩが通知された時点で、車載情報端末３がＤＳＲＣ−ＰＰＰアプリケーション３０９を起動していない、または、スリープ（一時停止）している場合に対応する処理について説明するものとする。
【００８１】
まず、情報中継装置２から車載情報端末３にＤＳＲＣ路側サーバ５から配信されたＵＲＩが通知される（ステップＳ７０１）。
【００８２】
ステップＳ７０１の後、車載情報端末３のＤＳＲＣ−ＰＰＰ通信開始通知部３１１は、ＤＳＲＣ−ＰＰＰ通信処理部３０４が起動していない場合（一時停止状態（スリープ状態）も含む）は、ＤＳＲＣ−ＰＰＰ通信機能開始通知３５２（図６参照）を表示し、ＤＳＲＣ−ＰＰＰ通信の利用の有無（ＤＳＲＣ−ＰＰＰ通信を開始するか否か）をユーザーに確認する（ステップＳ７０２）。
【００８３】
ステップＳ７０２において、ユーザーがＤＳＲＣ−ＰＰＰ通信を利用することを選択した場合（ステップＳ７０２のＹＥＳ）、車載情報端末３はＤＳＲＣ−ＰＰＰ通信処理部３０４を起動し、ＤＳＲＣ−ＰＰＰ通信を介したインターネット通信を開始する。なお、車載情報端末の起動とは、専用のブラウザを起動することをいう（ステップＳ７０３）。
【００８４】
一方、ステップＳ７０２において、ユーザーがＤＳＲＣ−ＰＰＰ通信を利用することを選択しなかった場合（ステップＳ７０２のＮＯ）、ＤＳＲＣ−ＰＰＰ通信の接続処理を終了する（ステップＳ７０４）。
【００８５】
ステップＳ７０３の後、車載情報端末３の通信メディア選択部３０７にて、情報中継装置２と車載情報端末３との間における通信メディアがインターネット通信に選択されているか否か（通信メディアがインターネットで利用可能か否か）を判定する（ステップＳ７０５）。
【００８６】
ステップＳ７０５において、車載情報端末３の通信メディア選択部３０７にて、情報中継装置２と車載情報端末３との間における通信メディアがインターネット通信に選択されていない場合（通信メディアがインターネットで利用不可の場合）、車載情報端末３の中継通信モード変更要求部３１２は情報中継装置２に対して、情報中継装置２と車載情報端末３との間における通信メディアをインターネット通信可能なようにモード変更することを要求し、情報中継装置２の中継通信モード制御部２０７は情報中継装置２と車載情報端末３との間における通信メディアをインターネット通信可能なように通信環境を変更する（ステップＳ７０６）。
【００８７】
一方、ステップＳ７０５において、車載情報端末３の通信メディア選択部３０７にて、情報中継装置２と車載情報端末３との間における通信メディアがインターネット通信に選択されている場合（通信メディアがインターネットで利用可能の場合）、車載情報端末３は、ステップＳ７０１にて情報中継装置２から通知されたＵＲＩで示されるＷＥＢサイトにＤＳＲＣ−ＰＰＰ通信を介してアクセスする（ステップＳ７０７）。
【００８８】
以上のことから、本実施の形態３では、車載情報端末３のユーザーがＤＳＲＣ−ＰＰＰ通信を利用していない場合において、当該ユーザーに対してＤＳＲＣ−ＰＰＰ通信の利用可能なタイミングを通知するとともに、ユーザーがＤＳＲＣ−ＰＰＰ通信の利用を選択した時点で車載情報端末３と情報中継装置２との間における通信メディアをインターネット通信路とする。また、車載情報端末３は、ＤＳＲＣ−ＰＰＰ通信利用時に、当該ＤＳＲＣ−ＰＰＰ通信を主要インターネット通信の回線として利用することをユーザーに明示する。
【００８９】
上記より、複数の通信メディアに対応し、かつ、いずれか１つの通信メディアをインターネット通信に利用する車載情報端末３において、ユーザーがＤＳＲＣ−ＰＰＰ通信を利用する場合に限って当該ＤＳＲＣ−ＰＰＰ通信を車載情報端末３のインターネット通信として利用可能とすることによって、例えば、車載情報端末３のユーザーにＤＳＲＣ−ＰＰＰ通信を利用する意図がないにもかかわらず、ＤＳＲＣ−ＰＰＰ通信をインターネット通信回線として利用させることがなくなる。
【００９０】
また、ＤＳＲＣ−ＰＰＰ通信利用時には他の通信メディアをインターネット通信として利用できないことを明示するなど、ユーザーに正しい使用方法を示すことで、ユーザーがＤＳＲＣ−ＰＰＰ通信利用中にＤＳＲＣ−ＰＰＰ通信を利用するＷＥＢブラウザを起動してもインターネットには接続されないなど、ユーザーに誤った使用をさせることを抑制する効果も奏する。
【００９１】
〈実施の形態４〉
本実施の形態４では、車載情報端末３におけるＤＳＲＣ−ＰＰＰ通信の切断について説明する。ここで、「ＤＳＲＣ−ＰＰＰ通信の切断」とは、情報中継装置２のＤＳＲＣ−ＰＰＰ通信接続・中継処理部２０９によって、情報中継装置２とＤＳＲＣ路側サーバ５との間におけるＤＳＲＣ−ＰＰＰ通信を切断することをいう。なお、本実施の形態４では、ＤＳＲＣ車載装置１から情報中継装置２に対してＤＳＲＣ通信を切断する旨の通知があった場合におけるＤＳＲＣ−ＰＰＰ通信の切断について説明する。
【００９２】
図８は、本実施の形態４による車側システムの構成の一例を示す図である。図８に示すように、本実施の形態４による車載情報端末３は、ＤＳＲＣ−ＰＰＰ通信の切断処理を行うＤＳＲＣ−ＰＰＰ通信切断・再接続処理部３１３（ＤＳＲＣ−ＰＰＰ通信切断処理手段）を備えることを特徴としている。
【００９３】
なお、本実施の形態４では、実施の形態３による車載情報端末３にＤＳＲＣ−ＰＰＰ通信切断・再接続処理部３１３を追加して備えた場合を図示しているが、実施の形態１，２の車載情報端末３にＤＳＲＣ−ＰＰＰ通信切断・再接続処理部３１３を追加しても同様の効果が得られるため、本実施の形態４を実施の形態３に適用することを限定するものではない。
【００９４】
図９は、本実施の形態４による車側システムにおけるＤＳＲＣ−ＰＰＰ通信の切断処理を示すフローチャートである。
【００９５】
まず、ＤＳＲＣ車載装置１から、「ＤＳＲＣ車載装置１とＤＳＲＣ路側装置４との間におけるＤＳＲＣ通信の切断」、または、「ＤＳＲＣ路側サーバ５からのＤＳＲＣ−ＰＰＰ切断要求」のいずれかを示す情報が情報中継装置２に対して通知される（ステップＳ９０１）。
【００９６】
ステップＳ９０１の後、情報中継装置２の中継通信制御部２０１は、ステップＳ９０１にて通知された情報を車載情報端末３に転送する（ステップＳ９０２）。車載情報端末３のＤＳＲＣ−ＰＰＰ通信切断・再接続処理部３１３は、情報中継装置２からＤＳＲＣ−ＰＰＰ通信切断通知を受信すると、ＤＳＲＣ−ＰＰＰ通信処理部３０４を停止する（例えば、ＷＥＢブラウザを閉じる）。
【００９７】
ステップＳ９０２の後、情報中継装置２のＤＳＲＣ−ＰＰＰ通信接続・中継処理部２０９は、情報中継装置２とＤＳＲＣ路側サーバ５との間におけるＤＳＲＣ−ＰＰＰ通信接続を切断する（ステップＳ９０３）。すなわち、ＤＳＲＣ−ＰＰＰ通信切断・再接続処理部３１３は、ＤＳＲＣ路側サーバ５とのＤＳＲＣ−ＰＰＰ通信が不可能になった場合において当該ＤＳＲＣ−ＰＰＰ通信の切断処理を行う。
【００９８】
ステップＳ９０３の後、情報中継装置２の中継通信モード制御部２０７は、車載情報端末３と情報中継装置２との間における通信メディアを、車載情報端末３のインターネット通信利用不可とする（ステップＳ９０４）。
【００９９】
以上のことから、本実施の形態４では、車載情報端末３はＤＳＲＣ−ＰＰＰ通信切断・再接続処理部３１３を備え、ＤＳＲＣ路側サーバ５とのＤＳＲＣ−ＰＰＰ通信が不可能になった場合においてＤＳＲＣ−ＰＰＰ通信切断・再接続処理部３１３がＤＳＲＣ−ＰＰＰ通信の切断処理を行うため、ＤＳＲＣ−ＰＰＰ通信が利用できなくなったタイミングを車載情報端末３のユーザーが知ることができるため、ＤＳＲＣ−ＰＰＰ通信以外の通信メディアがインターネット通信に利用可能な場合は、速やかに他の通信メディアをインターネット通信として利用することが可能となる。
【０１００】
〈実施の形態５〉
本実施の形態５では、車載情報端末３におけるＤＳＲＣ−ＰＰＰ通信の利用停止／再開の方法について説明する。ここで、「ＤＳＲＣ−ＰＰＰ通信の利用停止／再開」とは、ＤＳＲＣ−ＰＰＰ通信の接続／切断状態にかかわらず、車載情報端末３にてＤＳＲＣ−ＰＰＰ通信を利用する機能（ＤＳＲＣ−ＰＰＰ通信処理部３０４）を停止する場合と、停止した当該機能の利用を再び開始する場合とのことをいう。なお、本実施の形態５による車側システム構成は、実施の形態４と同様とするが、他の実施の形態１〜３のいずれにも適用可能である。
【０１０１】
次に、情報中継装置２と車載情報端末３との間におけるＤＳＲＣ−ＰＰＰ通信の利用を停止（ＤＳＲＣ−ＰＰＰ通信を切断）する際の処理について説明する。
【０１０２】
図１０は、本実施の形態５による車側システムにおけるＤＳＲＣ−ＰＰＰ通信の停止処理を示すフローチャートである。
【０１０３】
まず、車載情報端末３のＤＳＲＣ−ＰＰＰ通信機能を停止する（ステップＳ１００１）。すなわち、ＤＳＲＣ−ＰＰＰ通信処理部３０４を停止する。このとき、ＤＳＲＣ−ＰＰＰ通信切断・再接続処理部３１３（ＤＳＲＣ−ＰＰＰ通信切断処理手段）は、ＤＳＲＣ−ＰＰＰ通信の切断処理を行う。
【０１０４】
ステップＳ１００１の後、情報中継装置２と車載情報端末３との間における通信メディアがインターネット通信に利用されているか否かを確認する（ステップＳ１００２）。
【０１０５】
ステップＳ１００２において、情報中継装置２と車載情報端末３との間における通信メディアがインターネット通信に利用されている場合（すなわち、通信メディア選択部３０７がインターネット利用可能な通信メディアを選択している場合、ステップＳ１００２のＹＥＳ）、車載情報端末３の中継通信モード変更要求部３１２は、情報中継装置２の中継通信モード制御部２０７に対して、情報中継装置２と車載情報端末３との間における通信メディアが車載情報端末３でインターネット通信に利用されないように（インターネット通信を不可能とするように）中継通信モードの変更を要求する（ステップＳ１００３）。
【０１０６】
ステップＳ１００３の後、上記変更の要求を受けた情報中継装置２の中継通信モード制御部２０７は、情報中継装置２と車載情報端末３との間における通信メディアが車載情報端末３でインターネット通信利用不可とする（ステップＳ１００４）。
【０１０７】
ステップＳ１００２において、情報中継装置２と車載情報端末３との間における通信メディアがインターネット通信に利用されていない場合（ステップＳ１００２のＮＯ）、ＤＳＲＣ−ＰＰＰ通信の停止処理を終了する（ステップＳ１００５）。
【０１０８】
次に、情報中継装置２と車載情報端末３との間におけるＤＳＲＣ−ＰＰＰ通信の利用を再開する際の処理について説明する。
【０１０９】
図１１は、本実施の形態５による車側システムにおけるＤＳＲＣ−ＰＰＰ通信の再開処理を示すフローチャートである。
【０１１０】
まず、車載情報端末３のＤＳＲＣ−ＰＰＰ通信処理を実現する機能を起動する（ステップＳ１１０１）。すなわち、ＤＳＲＣ−ＰＰＰ通信処理部３０４を起動する。このとき、ＤＳＲＣ−ＰＰＰ通信切断・再接続処理部３１３（ＤＳＲＣ−ＰＰＰ通信接続処理手段）は、ＤＳＲＣ−ＰＰＰ通信の接続処理を行う。
【０１１１】
ステップＳ１１０１の後、情報中継装置２と車載情報端末３との間における通信メディアがインターネット通信に利用されていないか否かを確認する（ステップＳ１１０２）。
【０１１２】
ステップＳ１１０２において、情報中継装置２と車載情報端末３との間における通信メディアがインターネット通信に利用されていない場合（ステップＳ１１０２のＹＥＳ）、車載情報端末３の中継通信モード変更要求部３１２は、情報中継装置２のＤＳＲＣ−ＰＰＰ通信接続・中継処理部２０９に対して、情報中継装置２と車載情報端末３との間における通信メディアを車載情報端末３がインターネット通信利用可とするように（インターネット通信を可能とするように）中継通信モードの変更を要求する（ステップＳ１１０３）。
【０１１３】
一方、ステップＳ１１０２において、情報中継装置２と車載情報端末３との間における通信メディアがインターネット通信に利用されている場合（ステップＳ１１０２のＮＯ）、ステップＳ１１０４に移行する。
【０１１４】
ステップＳ１１０３あるいはステップＳ１１０２（ＮＯが選択された場合）の後、ＤＳＲＣ車載装置１とＤＳＲＣ路側装置４との間におけるＤＳＲＣ通信が接続され、かつ、ＤＳＲＣ路側サーバ５がＤＳＲＣ−ＰＰＰ通信に対応しているか否かを確認する（ステップＳ１１０４）。なお、情報中継装置２は、第２通信特性情報を取得して事前に上記情報を認知していることが前提であるものとする。
【０１１５】
ステップＳ１１０４において、ＤＳＲＣ車載装置１とＤＳＲＣ路側装置４との間におけるＤＳＲＣ通信が接続され、かつ、ＤＳＲＣ路側サーバ５がＤＳＲＣ−ＰＰＰ通信に対応していない場合（ステップＳ１１０４のＮＯ）、情報中継装置２の中継通信モード制御部２０７は、車載情報端末３と情報中継装置２との間における通信メディアを車載情報通信端末３のインターネット通信利用不可とし、その理由（例えば、「エラー情報：ＤＳＲＣ通信切断／ＤＳＲＣ−ＰＰＰ通信に対応していない路側サーバ」などのエラーメッセージ）を車載情報端末３に通知し、車載情報端末３は、通知されたエラーメッセージを図６に示すような表示画面３５０（通知手段）に表示するとともにＤＳＲＣ−ＰＰＰ通信処理部３０４を停止する（ステップＳ１１０５）。すなわち、車載情報端末３の表示画面３５０（通知手段）は、ＤＳＲＣ−ＰＰＰ通信の利用が開始できない場合はその旨を通知する。
【０１１６】
一方、ステップＳ１１０４において、ＤＳＲＣ車載装置１とＤＳＲＣ路側装置４との間におけるＤＳＲＣ通信が接続され、かつ、ＤＳＲＣ路側サーバ５がＤＳＲＣ−ＰＰＰ通信に対応している場合（ステップＳ１１０４のＹＥＳ）、情報中継装置２のＤＳＲＣ−ＰＰＰ通信接続・中継処理部２０９は、ＤＳＲＣ路側サーバ５との間におけるＤＳＲＣ−ＰＰＰ通信接続が完了しているか否かを確認する（ステップＳ１１０６）。
【０１１７】
ステップＳ１１０６において、情報中継装置２とＤＳＲＣ路側サーバ５との間におけるＤＳＲＣ−ＰＰＰ通信接続が完了していない場合（ステップＳ１１０６のＮＯ）、情報中継装置２は、ＤＳＲＣ−ＰＰＰ通信接続をＤＳＲＣ路側サーバ５に対して開始し、当該接続完了後、情報中継装置２の中継通信モード制御部２０７は、情報中継装置２と車載情報端末３との間における通信メディアを車載情報端末３でインターネット通信に利用可能とし、ステップＳ１１０８に移行する（ステップＳ１１０７）。
【０１１８】
ステップＳ１１０６にて情報中継装置２とＤＳＲＣ路側サーバ５との間におけるＤＳＲＣ−ＰＰＰ通信接続が完了している場合（ＹＥＳが選択された場合）あるいはステップＳ１１０７の後、車載情報端末３の通信メディア選択部３０７は、情報中継装置２と車載情報端末３との間における通信メディアがインターネット通信に利用することが選択されると、インターネット通信処理部３０８（インターネット閲覧するＨＴＴＰ通信などを実現する機能）を起動して、ＤＳＲＣ−ＰＰＰ通信を介したインターネット通信を開始する（ステップＳ１１０８）。
【０１１９】
以上のことから、車載情報端末３がＤＳＲＣ−ＰＰＰ通信を利用しない場合は、情報中継装置２と車載情報端末３との間における通信が車載情報端末３でインターネット通信に利用されないようにし、車載情報端末３がＤＳＲＣ−ＰＰＰ通信を利用する場合のみにインターネット通信に利用されるように変更することによって、例えば、車載情報端末３において、ＤＳＲＣ−ＰＰＰアプリケーションＡを一度終了して、ＤＳＲＣ−ＰＰＰ通信以外の通信をインターネットで利用するアプリケーションＢを立ち上げた場合に、アプリケーションＢを利用したインターネット通信接続を正常に行うことができる。反対に、アプリケーションＢを立ち下げて（切断して）、アプリケーションＡを起動した場合においても、アプリケーションＡを利用したＤＳＲＣ−ＰＰＰ通信を介したインターネット通信を利用することが可能となる。
【０１２０】
また、例えば、ＤＳＲＣ車載装置１とＤＳＲＣ路側装置４との間においてＤＳＲＣ通信が接続されていない場合など、車載情報端末３にてＤＳＲＣ−ＰＰＰ通信が利用可能でない場合には、車載情報端末３にその旨を通知することによって、車載情報端末３のユーザーはＤＳＲＣ−ＰＰＰ通信が利用できないことを認識することができ、上述のアプリケーションＡを数回繰り返して立ち上げるなどして当該アプリケーションＡが利用できないことを確認する必要がなくなるという効果を奏する。
【０１２１】
なお、本発明は、その発明の範囲内において、各実施の形態を自由に組み合わせたり、各実施の形態を適宜、変形、省略することが可能である。
【符号の説明】
【０１２２】
１  ＤＳＲＣ車載装置、２  情報中継装置、３  車載情報端末、４  ＤＳＲＣ路側装置、５  ＤＳＲＣ路側サーバ、６  路側サーバ、１０１  通信制御部、１０２  第２通信特性情報出力部、１０３  ＤＳＲＣ通信処理部、２０１  中継通信制御部、２０２  中継通信データ蓄積部、２０３  第２通信特性情報取得部、２０４  第２通信特性情報蓄積部、２０５  車載情報端末状態情報取得部、２０６  車載情報端末状態情報蓄積部、２０７  中継通信モード制御部、２０８  中継データ出力制御部、２０９  ＤＳＲＣ−ＰＰＰ通信接続・中継処理部、３０１  通信制御部、３０２  第２通信特性情報出力部、３０３  車載情報端末状態情報出力部、３０４  ＤＳＲＣ−ＰＰＰ通信処理部、３０５  狭域無線通信処理部、３０６  広域無線通信処理部、３０７  通信メディア選択部、３０８  インターネット通信処理部、３０９  ＤＳＲＣ−ＰＰＰアプリケーション、３１０  その他のアプリケーション、３１１  ＤＳＲＣ−ＰＰＰ通信開始通知部、３１２  中継通信モード変更要求部、３１３  ＤＳＲＣ−ＰＰＰ通信切断・再接続処理部、３５０  表示画面、３５１  アプリケーション一覧、３５２  ＤＳＲＣ−ＰＰＰ通信機能開始通知。
【図１】
0005638504.tif 000002
【図２】
0005638504.tif 000003
【図３】
0005638504.tif 000004
【図４】
0005638504.tif 000005
【図５】
0005638504.tif 000006
【図６】
0005638504.tif 000007
【図７】
0005638504.tif 000008
【図８】
0005638504.tif 000009
【図９】
0005638504.tif 000010
【図１０】
0005638504.tif 000011
【図１１】
0005638504.tif 000012